(57)【要約】【課題】各種形状の遊技機の運搬に好適な遊技機運搬用台車を提供する。【解決手段】遊技機を積載する長方形の平面を有する積載部と、前記積載部の長辺の一端側の下部に設けられた二個のキャスターと、前記積載部の長辺の一端側に立設された支持フレームと、前記支持フレームの上部に設けられた手押し用のハンドル部と、を備えた遊技機運搬用台車において、前記積載部の長辺の他端側の下部にステップ部を設けた。【選択図】図１
0003168540.tif 000002
【実用新案登録請求の範囲】
【請求項１】
遊技場に設置される遊技機を積載する長方形の平面を有する積載部と、
前記積載部の長辺の一端側の下部に設けられた二個のキャスターと、
前記積載部の長辺の一端側に立設された支持フレームと、
前記支持フレームの上部に設けられた手押し用のハンドル部と、
を備えた遊技機運搬用台車において、
前記積載部の長辺の他端側の下部にステップ部を設けたことを特徴とする遊技機運搬用台車。
【請求項２】
前記支持フレームに支持板係止部を設け、この支持板係止部に、前記積載部に積載された遊技機の背面を支持する支持板を着脱自在に取付けたことを特徴とする請求項１に記載の遊技機運搬用台車。
【請求項３】
前記支持フレームは、前記積載部に積載される前記遊技機の外枠を押さえる外枠押さえ部を備えたことを特徴とする請求項１又は２に記載の遊技機運搬用台車。
【請求項４】
前記積載部の長辺の一端側の下部に支持フレーム挿入部を設け、当該支持フレーム挿入部に、前記支持フレームを挿脱自在に取付けたことを特徴とする請求項１〜３のいずれか１項に記載の遊技機運搬用台車。
【請求項５】
前記遊技機はパチンコ遊技機又はパチスロ遊技機であることを特徴とする請求項１〜４のいずれか１項に記載の遊技機運搬用台車。
【考案の詳細な説明】
【技術分野】
【０００１】
本考案は、遊技場に設置される遊技機を運搬するのに好適な遊技機運搬用台車に関するものである。
【背景技術】
【０００２】
従来、人手で運搬するには重量が嵩む荷物は、二輪台車や四輪台車に積載して運搬することで、倉庫や工場内等における作業員の負担を軽減している。特に二輪台車は、取り回しが楽なことから荷物運搬用に手軽に用いられている。
【０００３】
また、重量や形状の異なる荷物には、重量物の運搬に好適な二輪台車として、例えば、運搬する荷物の形状に応じて荷台面を拡張して対応できる多用途台車（特許文献１に記載）が提案されている。
【０００４】
しかし、遊技場に設置される遊技機を荷物として運搬する場合は、四輪台車等が用いられていた。それは、遊技機は、大別してパチンコ遊技機とパチスロ遊技機の２種類の機種があり、しかも、近年では演出のための大型の液晶表示装置などの電子機器が搭載されるようになってきているため、重量も年々増大する傾向にあり、かかる遊技機を安定した状態で積載する必要があるからである。
【先行技術文献】
【特許文献】
【０００５】
【特許文献１】特開平９−２４９１３２号公報
【考案の概要】
【考案が解決しようとする課題】
【０００６】
ところで、運搬する遊技機は、その種類に応じて各種の形状が当然あり得る。例えば、上記パチンコ遊技機やパチスロ遊技機は、共に遊技場に設置される遊技機ではあるが、その形状や重量は異なっている。すなわち、パチンコ遊技機は、遊技者と対面する表面側は平面に形成されているが、裏面側は、パチスロ遊技機とは異なり、各種制御基板を内包した裏パックや、遊技媒体である遊技球（パチンコ球）の貯留や払い出しを行う制御装置等が突出している。他方、パチスロ遊技機は、矩形箱状の筐体の内部に、回動式のリールや遊技媒体であるコインの払い出し装置などの機械部品を内包しておりパチンコ遊技機より重量が嵩む。
【０００７】
他方、遊技場では台車の移動スペースが限られているため、取り回しが楽で機動性に優れた小型の二輪台車を用いることが好適であるが、上述したように、機動性に劣る比較的大型の四輪台車が用いられている現状がある。
そこで、上記特許文献１に記載の二輪台車を遊技機運搬用台車として利用しようとしても、裏面側が突出した形状の遊技機の運搬には、遊技機を垂直に安定させた状態で荷台面に積載することが困難である。このため、遊技機を積載して当該二輪台車を移動させる場合は、運搬途中の遊技機の転倒に留意する必要性があり作業効率に問題がある。
【０００８】
また、矩形箱状の筐体よりなる遊技機は、二輪台車に安定して積載できるので運搬には支障は少ない。しかし、上述したように形状に凸凹があり重量が嵩む遊技機の場合には、二輪台車に積み下ろしする作業の負担が大きい。そのため、積み下ろし作業中に二輪台車の荷台面が動かないように固定して、安全に積み下ろし作業ができるようにする必要がある。
【０００９】
本考案は、上記課題を解決するためになされたもので、各種形状、特に矩形であるが前後面に凸凹のあるような遊技機を運搬するのに安全で作業効率のよい遊技機運搬用台車を提供することを目的とする。
【課題を解決するための手段】
【００１０】
請求項１に記載の考案は、遊技場に設置される遊技機を積載する長方形の平面を有する積載部と、前記積載部の長辺の一端側の下部に設けられた二個のキャスターと、前記積載部の長辺の一端側に立設された支持フレームと、前記支持フレームの上部に設けられた手押し用のハンドル部と、を備えた遊技機運搬用台車において、前記積載部の長辺の他端側の下部にステップ部を設けた。
【００１１】
請求項２に記載の考案は、請求項１に記載の考案において、前記支持フレームに支持板係止部を設け、この支持板係止部に、前記積載部に積載された遊技機の背面を支持する支持板を着脱自在に取付けたことを特徴とする。
【００１２】
請求項３に記載の考案は、請求項１又は２に記載の考案において、前記支持フレームに、前記積載部に積載される前記遊技機の外枠を押さえる外枠押さえ部を備えたことを特徴とする。
【００１３】
請求項４に記載の考案は、請求項１〜３のいずれか１項に記載の考案において、前記積載部の長辺の一端側の下部に支持フレーム挿入部を設け、当該支持フレーム挿入部に、前記支持フレームを挿脱自在に取付けたことを特徴とする。
【００１４】
請求項５に記載の考案は、請求項１〜４のいずれか１項に記載の考案において、前記遊技機はパチンコ遊技機又はパチスロ遊技機であることを特徴とする。
【考案の効果】
【００１５】
請求項１に記載の考案によれば、遊技場に設置される遊技機を積載する長方形の平面を有する積載部と、前記積載部の長辺の一端側の下部に設けられた二個のキャスターと、前記積載部の長辺の一端側に立設された支持フレームと、前記支持フレームの上部に設けられた手押し用のハンドル部と、前記積載部の長辺の他端側の下部に設けたステップ部と、を備えた遊技機運搬用台車としている。
【００１６】
すなわち、上記ステップ部を作業者が足裏で踏むことにより、遊技機を積み降ろしする際の遊技機運搬用台車の移動を防ぐことができ、遊技機の積み下ろしを安全に行うことができる。そして、作業者は、遊技機運搬用台車に遊技機を積載した状態では、ステップ部を浮かせて重心を二輪車側に移して移動することで、二輪台車の機動性を生かして軽快に遊技機を運搬することができる。
【００１７】
請求項２に記載の考案によれば、前記遊技機運搬用台車は、前記支持フレームに支持板係止部を設け、この支持板係止部に、前記積載部に積載された遊技機の背面を支持する支持板を着脱自在に取付けている。これにより、該遊技機運搬用台車に遊技機を積載して移動する場合、支持板係止部を介して取り付けられた支持板により遊技機の背面を支持して、運搬中に遊技機が作業者側に転倒すること防止することができる。
【００１８】
請求項３に記載の考案によれば、遊技機運搬用台車の前記支持フレームに、前記積載部に積載される前記遊技機の外枠を押さえる外枠押さえ部を備えている。このため、本体と外枠とに分離可能な遊技機を前記積載部に積載したままで分離する作業を行う場合に、本体を持ち上げても外枠が外枠押さえ部により持ち上がることを防ぐことができ、容易に遊技機を本体と外枠とに分離する作業を行うことができる。
【００１９】
請求項４に記載の考案によれば、前記積載部の長辺の一端側の下部に支持フレーム挿入部を設け、当該支持フレーム挿入部に、前記支持フレームを挿脱自在に取付けている。このため、当該遊技機運搬用台車を使用しない場合は、支持フレームを支持フレーム挿入部から外すことができ、使用しない遊技機運搬用台車をコンパクトに片付けることができる。
【００２０】
請求項５に記載の考案によれば、遊技機がパチンコ遊技機やパチスロ遊技機としたために、遊技機の特有の形状構造にもかかわらず、パチンコホール等の遊技場内の運搬を的確に最小の労力で安全に運搬することができる。
【図面の簡単な説明】
【００２１】
【図１】この考案の一実施形態における遊技機運搬用台車の構成を示す斜視図である。
【図２】この考案の一実施形態における遊技機運搬用台車の構成を示す正面図である。
【図３】この考案の一実施形態における遊技機運搬用台車の構成を示す側面図である。
【図４】この考案の一実施形態における遊技機運搬用台車の支持フレームの挿脱を説明する図である。
【図５】この考案の一実施形態における遊技機運搬用台車において、遊技機の積み降ろし及び運搬を説明する図である。
【図６】この考案の一実施形態における遊技機運搬用台車にパチスロ遊技機を積載する場合の支持板係止部への支持板の取付を説明する図である。
【図７】この考案の一実施形態における遊技機運搬用台車へのパチンコ遊技機の積載を説明する図である。
【図８】この考案の一実施形態における遊技機運搬用台車において、遊技機の機種別による積載を説明する図である。
【図９】この考案の一実施形態における遊技機運搬用台車においてパチンコ遊技機の外枠を押さえる外枠押さえ部を説明する図である。
【図１０】この考案の一実施形態における遊技機運搬用台車において支持フレームとサイドステップとの関係を示す説明図である。
【考案を実施するための形態】
【００２２】
以下、本実施形態に係る遊技機運搬用台車（以下、単に「台車」という場合がある）について、説明する。台車で運搬する遊技機については、パチンコ遊技機とパチスロ遊技機との機種に大別される。パチンコ遊技機とパチスロ遊技機とを比較すると、大きさ（例えば、高さや幅）、形状（厚みなど）又は重量が異なる。特に大きさ（例えば、高さや幅）は、高さは概ね同じではあるが、パチスロ遊技機の方がパチンコ遊技機よりも幅が小さい。また、近年では、パチンコ遊技機及びパチスロ遊技機共に、演出のための大型の液晶表示装置や可動体などが搭載されて重量が嵩む傾向にある。
【００２３】
このため、本考案に係る遊技機運搬用台車は、遊技機を積載する長方形の平面を有する積載部と、前記積載部の長辺の一端側の下部に設けられた二個のキャスターと、前記積載部の長辺の一端側に立設された支持フレームと、前記支持フレームの上部に設けられた手押し用のハンドル部と、前記積載部の長辺の他端側の下部に設けたステップ部と、を備えている。なお、本実施形態における支持フレームは、前記積載部の長辺の一端側の下部に設けられた支持フレーム挿入部に挿入されている。
【００２４】
すなわち、パチンコ遊技機及びパチスロ遊技機を遊技機運搬用台車に積み降ろしする際に、作業者が上記ステップ部を足裏で踏むことにより、当該台車を動かないように固定することができる。これにより、重量の嵩む遊技機を安全に台車に積み降ろしすることができる。
【００２５】
また、上述したように、パチンコ遊技機及びパチスロ遊技機は形状や重量が異なり、パチスロ遊技機はパチンコ遊技機よりも幅が狭い。そのため、本考案の遊技機運搬用台車にパチンコ遊技機を積載する場合は、パチンコ遊技機の背面側を支持フレームで支え、支持フレームの間にパチンコ遊技機背面の突出部を突出させた状態で安定して積載できるようにしている。また、台車にパチスロ遊技機を積載する場合は、パチスロ遊技機はパチンコ遊技機よりも幅が狭いため、ステップ部を浮かせてパチスロ遊技機を運搬する際に、パチスロ遊技機が支持フレームの間を作業者側に転倒する虞がある。
【００２６】
このため、遊技機運搬用台車は、前記支持フレームに、前記積載部に積載された遊技機の背面を支持する支持板を着脱自在とした支持板係止部を備えている。これにより、パチスロ遊技機を積載する場合は、支持フレームの支持板係止部に支持板を取付けた状態にすることで、遊技機の背面側が支持板により支持されて遊技機の転倒を防止することができる。
【００２７】
また、一般に遊技機としての一例のパチンコ遊技機は、遊技機本体と外枠とに分離結合可能な構造となっている。遊技場にパチンコ遊技機を設置する場合は、まず、パチンコ遊技機を遊技機本体と外枠とに分離して、外枠を遊技場の所定の位置に設置する。そして、取り付けた外枠と遊技機本体とを結合してパチンコ遊技機の設置は終了する。
【００２８】
このように遊技機本体と外枠は、例えば、外枠に設けた複数の結合凹部に、本体に設けた複数の結合凸部を上方から挿入することで結合されている。このため、遊技機本体と外枠とを分離するために、外枠を固定した状態で遊技機本体を上方に持ち上げて、外枠の結合凹部と遊技機本体の結合凸部との結合を解除する必要がある。この場合、遊技機本体を持ち上げる際に外枠も同時に持ち上がってしまうと、遊技機本体と外枠とがうまく分離できない場合がある。
【００２９】
このため、本考案の遊技機運搬用台車は、前記支持フレームに、前記積載部に積載される前記遊技機の外枠を押さえる外枠押さえ部を備えている。これにより、パチンコ遊技機を台車に積載した状態で、本体と外枠との分離作業を行う場合に、遊技機本体を持ち上げても、外枠は外枠押さえ部により上部への動きが規制されるため、本体と外枠とを容易に分離することができる。
【００３０】
また、本考案の遊技機運搬用台車は、前記支持フレームを前記支持フレーム挿入部に挿脱自在としている。このため、支持フレームを支持フレーム挿入部から外しておくことにより、使用しない台車をコンパクトに片付けることができるようにしている。
【実施例】
【００３１】
以下、本考案の実施例について図面を用いて詳細に説明する。
【００３２】
まず、図１〜図３を参照して、本実施例における遊技機運搬用台車の構成について説明する。図１は遊技機運搬用台車の構成を示す斜視図である。図２は遊技機運搬用台車の構成を示す正面図である。図３は遊技機運搬用台車の構成を示す側面図である。
【００３３】
図１〜３に示すように、遊技機運搬用台車１は、遊技機を積載する積載部２と、積載部２の下部であり、遊技機運搬用台車１を正面視した場合、積載部２の後方側に設けられた角筒状の支持フレーム挿入部２ｅ，２ｅと、積載部２の下部の支持フレーム挿入部２ｅ，２ｅの近傍に設けられた二個のキャスター５Ｒ，５Ｌと、積載部２の下部であり、遊技機運搬用台車１を正面視した場合、積載部２の前方側に設けられたステップ部３と、上部を作業者が保持して当該遊技機運搬用台車１を操作するハンドル部９により連接された二本の支持フレーム４，４により構成されている。
【００３４】
遊技機を積載する積載部２は、遊技機を載置する一枚の金属板で形成された長方形の積載面２ａと、金属製の角フレームである前フレーム２ｃと、サイドフレーム２ｂ，２ｂと、後フレーム２ｄとにより構成されている。積載面２ａの前方側の長辺には前フレーム２ｃがサイドフレーム２ｂ，２ｂに亘って結合されている。積載面２ａの両サイドの短辺にはそれぞれサイドフレーム２ｂ，２ｂが結合されている。そして、積載面２ａ及びサイドフレーム２ｂ，２ｂの後方側には、後フレーム２ｄが結合されている。前フレーム２ｃは、サイドフレーム２ｂ，２ｂの前方側に積載面２ａとフラットになるように結合され、積載面２ａへの遊技機の積み下ろしを容易としている。
【００３５】
後フレーム２ｄの両端近傍には、キャスター取付部５ａ，５ａが設けられており、二個のキャスター５Ｒ，５Ｌが同一の中心軸上に取付けられている。このキャスター５Ｒ，５Ｌは、固定式のキャスターであり、前後方向の移動を可能としている。また、キャスター５Ｒ，５Ｌの材質は、例えば、ウレタン、ナイロン、ゴム等が用いられ重荷重で長時間固定されても荷重による歪みが生じないものが用いられる。さらに、キャスター５Ｒ，５Ｌの口径は大口径（例えば、２００ｍｍ）としており、遊技機運搬用台車１に遊技機を積載して移動する場合に、床面の小段差や遊技機の取付のために床面に施設された電源ケーブル等を容易に乗り越えられるようにしている。
【００３６】
積載部２の前フレーム２ｃの下部には、ステップ部３が設けられている。このステップ部３は、前フレーム２ｃの下部に所定間隔で下方に結合された２枚のサイドステップ３ａ，３ａと、該サイドステップ３ａ，３ａを連接する底部ステップ３ｂで略コ字状に構成されている。そして、積載部２の後方側の下部に設けられたキャスター５Ｒ，５Ｌと底部ステップ３ｂとにより、遊技機運搬用台車１を床面に略垂直に起立させた状態とすることができる。この状態においては、底部ステップ３ｂは、水平床面と密着することで、遊技機運搬用台車１が前後に移動することなく起立させた状態を保つことができる。
更に、具体的にステップ部３を説明する。支持フレーム４は積載部２の積載面２aに対して直角に立設しており、これに対して、ステップ部３の左右のサイドステップ３ａ，３ａは、前方にやや突出するように傾斜させて形成し、それらの下端間に長方形の底板を架設して底部ステップ３ｂを形成している。
サイドステップ３aの傾斜角度と、サイドステップ３a，３aの長さと、遊技機の重量負荷を受けることのできる限度となる支持フレーム４の傾斜角度とは、相互に有機的な相関関係を保持している。
図１０に示すように、サイドステップ３aの傾斜角度をα、サイドステップ３aの長さをβ、支持フレーム４の傾斜角度をγとした場合、次のような数値を最良の遊技機運搬用台車とする。
γは、支持フレーム４にかかる遊技機の重量負荷にかかわらず、遊技機運搬用台車１が後方に転倒しない極度の角度であって約１５°とし、γ＝１５°の場合のαは約３０°として、遊技機運搬用台車１の積載部２に遊技機を積載する際に底部ステップ３ｂを踏みやすい位置となるようにしている。しかも、通常の地上載置状態の遊技機運搬用台車１の支持フレーム４及び積載部２が１５°の角度を保持できるようにサイドステップ３ａの長さβを規制している。すなわち、α＝約３０°、γ＝約１５°、βはα＝約３０°及びγ＝約１５°を保持可能な長さとしている。
このようにすることにより、遊技機の積載作業が行いやすい遊技機運搬用台車１の後傾姿勢を保持しつつ、遊技機の積載作業時の底部ステップ３ｂの地面固定が確実に行える効果を有する。なお、当然ながら底部ステップ３ｂは地面と密着する角度となる。
【００３７】
図５を用いて、遊技機運搬用台車１への遊技機の積み降ろしと遊技機運搬用台車１の移動を説明する。図５（ａ）に示すように、作業者Ａが足裏でステップ部３の底部ステップ３ｂを踏むことで、遊技機運搬用台車１に遊技機を積む際の、遊技機運搬用台車１の前後の移動を防ぐことができる。これにより、遊技機運搬用台車１を固定した状態でパチンコ遊技機Ｐなどの遊技機を安全に積むことができる。そして、図５（ｂ）に示すように、パチンコ遊技機Ｐを積載した遊技機運搬用台車１を移動させる場合は、作業者は、ハンドル部９を操作してステップ部３の底部ステップ３ｂを床面から浮かせるように傾けることで、遊技機を積載した遊技機運搬用台車１の移動を容易としている。
【００３８】
また、遊技機運搬用台車１に積載したパチンコ遊技機Ｐを降ろす場合は、パチンコ遊技機Ｐを積載する場合と同様に、作業者Ａが足裏でステップ部３の底部ステップ３ｂを踏むことにより、遊技機運搬用台車１の前後の移動を防止した状態でパチンコ遊技機Ｐの降ろし作業を行う。すなわち、本考案の遊技機運搬用台車１においては、作業者Ａが足裏でステップ部３の底部ステップ３ｂを踏むことで、遊技機運搬用台車１の前後の移動を防ぐことができるので、安全にパチンコ遊技機Ｐの積み降ろし作業を行うことができる。
【００３９】
図４を用いて、本考案における支持フレーム４，４の挿脱について説明する。図４に示すように、後フレーム２ｄとサイドフレーム２ｂ，２ｂの結合部近傍には、角筒形状の支持フレーム挿入部２ｅ，２ｅが設けられている。角筒形状の支持フレーム挿入部２ｅ，２ｅに、上端部をハンドル部９として結合した二本の角フレームからなる支持フレーム４，４の下端部を挿入し、支持フレーム挿入部２e，２eの前壁より挿貫した二本の止めピン２ｆ，２ｆにより固定することで、支持フレーム４，４と積載部２とが一体に結合される。すなわち、本考案における角フレームからなる支持フレーム４，４は、積載部２の角筒形状の支持フレーム挿入部２ｅ，２ｅに挿脱自在としている。これにより、当該遊技機運搬用台車１を使用しない場合には、支持フレーム４，４と積載部２とを止めピン２ｆ，２ｆを抜去して分離することにより、立設状態の支持フレーム４，４を取外して遊技機運搬用台車１の収納スペースの占有面積を小さくすることができる。
【００４０】
ここで、遊技機運搬用台車１へのパチスロ遊技機の積載について説明する。図６に示すように、支持フレーム４，４の所定位置には、積載部２に積載されたパチスロ遊技機Ｓの背面を支持する支持板１０を着脱自在とした支持板係止部７，７が設けられている。そして、支持板１０の両端に設けられた挿入口１０ａ，１０ａを支持板係止部７，７に挿入して、切り欠き部７ａ，７ａに嵌め込み固定することで、支持フレーム４，４に支持板１０が取り付けられる。
【００４１】
パチスロ遊技機Ｓはパチンコ遊技機Ｐよりも幅が狭く、支持フレーム４，４によりパチスロ遊技機Ｓの背面を支持することができない。このため、図５（ｂ）に示すように、ステップ部３の底部ステップ３ｂを床面から浮かせるように遊技機運搬用台車１を作業者側に傾けたときに、支持フレーム４，４の間からパチスロ遊技機Ｓが遊技者側へ転倒する虞がある。そこで、パチスロ遊技機Ｓを遊技機運搬用台車１に積載する場合は、支持フレーム４，４の支持板係止部７，７に支持板１０を取り付けて、当該パチスロ遊技機Ｓの背面側を支持板１０により支持することで、パチスロ遊技機Ｓの運搬中の作業者側への転倒を防止している。
【００４２】
このように、本考案における遊技機運搬用台車１は、積載する遊技機（パチンコ遊技機Ｐ及びパチスロ遊技機Ｓ）の機種に応じて、支持フレーム４，４の支持板係止部７，７への支持板１０の着脱を行うことにより、機種の異なる遊技機でも、当該遊技機運搬用台車１による運搬を可能としている。
【００４３】
図７を用いて、遊技機運搬用台車１へのパチンコ遊技機の積載について説明する。図７に示すように、パチンコ遊技機Ｐを遊技機運搬用台車１に積載する場合は、上述した支持板１０は取り付けられない。これは、パチンコ遊技機Ｐはパチスロ遊技機Ｓとは異なり、背面側が平面ではなく各種制御基板を内包した裏パックＰａ（図５参照）などが突出しているためである。このため、パチンコ遊技機Ｐの背面側は、パチンコ遊技機の外枠Ｐ２（図９参照）を支持フレーム４，４により支持して、裏パックＰａ（図５参照）は支持フレーム４，４の間から作業者側へ突出させている。これにより、図５（ｂ）に示すように、パチンコ遊技機Ｐを積載した遊技機運搬用台車１を移動させる場合に、遊技機運搬用台車１に安定してパチンコ遊技機Ｐを積載できるようにしている。
【００４４】
図８を用いて、遊技機運搬用台車１への遊技機の機種別（パチンコ遊技機又はパチスロ遊技機）の積載について説明する。図８（ａ）に示すように、遊技機運搬用台車１にパチンコ遊技機Ｐを積載した場合は、パチンコ遊技機Ｐの底面は積載部２の積載面２ａに載置され、パチンコ遊技機Ｐの背面（つまり、外枠Ｐ２（図９参照））は支持フレーム４，４により支持される。図８（ｂ）に示すように、遊技機運搬用台車１にパチスロ遊技機Ｓを積載した場合は、パチスロ遊技機Ｓの底面は積載部２の積載面２ａに載置され、パチスロ遊技機Ｓの背面は、積載部２の後フレーム２ｄと支持フレーム４，４の支持板係止部７，７に取り付けられた支持板１０とにより支持される。つまり、本考案における遊技機運搬用台車１は、積載する遊技機（パチンコ遊技機Ｐ又はパチスロ遊技機Ｓ）の機種に応じて、当該遊技機の背面を支持する箇所が異なる。このように、積載部２に積載した遊技機の背面を支持する箇所を遊技機の機種の形状に応じて異ならせることにより、積載部２に積載した遊技機を安定して運搬することができる。
【００４５】
図９を用いて、遊技機運搬用台車１へ積載されたパチンコ遊技機Ｐの遊技機本体Ｐ１と外枠Ｐ２との分離結合について説明する。図９に示すように、パチンコ遊技機Ｐは遊技機本体Ｐ１と外枠Ｐ２とに分離結合可能な構造となっている。パチンコ遊技機Ｐの遊技機本体Ｐ１と外枠Ｐ２は、外枠Ｐ２の左側端の上下二箇所に設けた結合凹部Ｐ３，Ｐ３に、遊技機本体Ｐ１の左側端の上下二箇所に設けた結合凸部Ｐ４，Ｐ４を上下方から挿入することにより、結合凹部Ｐ３と結合凸部Ｐ４とが枢支状態となって結合される。そして、遊技機本体Ｐ１の右側端の略中央部には、所定の鍵（図示せず）が設けられており、この鍵を開錠することで、遊技機本体Ｐ１は左側端の結合凸部Ｐ４，Ｐ４を軸として外枠Ｐ２に対して開閉自在としている。
【００４６】
一般に、パチンコ遊技機Ｐを遊技場の所定の位置に設置する場合には、（１）まずパチンコ遊技機を遊技機本体Ｐ１と外枠Ｐ２とに分離する。（２）次に外枠Ｐ２を遊技場の所定の位置に固定する。（３）最後に遊技機本体Ｐ１と外枠Ｐ２とを結合させる。という上記（１）〜（３）の手順で行われる。
【００４７】
つまり、パチンコ遊技機Ｐを遊技場の所定の位置に設置するためには、遊技機本体Ｐ１と外枠Ｐ２とを分離する必要がある。そのため、遊技機本体Ｐ１の右側端の略中央部に設けられている所定の鍵（図示せず）を開錠し、遊技機本体Ｐ１を左側端の結合凸部Ｐ４，Ｐ４を軸として外枠Ｐ２に対して開放した状態で、遊技機本体Ｐ１を上方に持ち上げて、外枠Ｐ２の結合凹部Ｐ３，Ｐ３と遊技機本体Ｐ１の結合凸部Ｐ４，Ｐ４との結合を解除すればよい。
【００４８】
このとき、遊技機本体Ｐ１を持ち上げる際に外枠Ｐ２も同時に持ち上がってしまい、外枠Ｐ２の結合凹部Ｐ３，Ｐ３と遊技機本体Ｐ１の結合凸部Ｐ４，Ｐ４との結合がうまく解除できない場合がある。そのため、現状の遊技場では、遊技機本体Ｐ１を持ち上げる役目の作業員と、外枠Ｐ２が同時に持ち上がってしまうことを抑える役目の作業員が必要であり作業員が２人がかりで行わねばならず効率が悪い。
【００４９】
このため、本考案の遊技機運搬用台車１は、支持フレーム４，４の所定の位置に、積載部２の積載面２ａに積載されるパチンコ遊技機Ｐの外枠Ｐ２を押さえる断面Ｌ字状の外枠押さえ部８，８をそれぞれ設けている。この支持フレーム４，４への外枠押さえ部８，８の設置位置は、遊技機運搬用台車１にパチンコ遊技機Ｐを積載した場合に、パチンコ遊技機Ｐの背面を支持する支持フレーム４，４の、パチンコ遊技機Ｐの上端面に所定の間隔（例えば、５ｍｍ上方）をおいて設置されている。これにより、パチンコ遊技機Ｐを遊技機運搬用台車１に積載した状態で、遊技機本体Ｐ１と外枠Ｐ２との分離作業を行う場合に、遊技機本体Ｐ１を持ち上げても、外枠Ｐ２は外枠押さえ部により上部への動きが規制されるため、遊技機本体Ｐ１と外枠Ｐ２とを容易に分離することができる。
【００５０】
このようにして、遊技機本体Ｐ１と外枠Ｐ２とに分離されたパチンコ遊技機Ｐは、外枠Ｐ２が遊技場の遊技機の設置位置に取り付けられて固定され、分離した遊技機本体Ｐ１と外枠Ｐ２とを再結合させることにより、パチンコ遊技機Ｐの取付が完了する。
【００５１】
また、上述してきた遊技機運搬用台車１を構成する要素（例えば、積載部２、ステップ部３、支持フレーム４，４、ハンドル部９など）は、鉄、ステンレス、アルミニウム等の金属を素材として用いることができる。また、各構成要素の結合は、溶接及びビス止めなどにより適宜結合されて形成されている。
【００５２】
上述してきた遊技機運搬用台車１によれば、遊技場に設置される多種形状、構造の遊技機（パチンコ遊技機Ｐ及びパチスロ遊技機Ｓ）の種類に応じて、遊技機を安全に運搬することができ、遊技機の運搬設置の作業効率を高めることが可能となる。
【００５３】
以上、実施例を説明したが、本考案の具体的な構成は上記実施例に限定されるものではなく、本考案の要旨を逸脱しない範囲の設計変更等があっても本考案に含まれるものである。
【符号の説明】
【００５４】
１    遊技機運搬用台車
２    積載部
２ａ  積載面
２ｂ  サイドフレーム
２ｃ  前フレーム
２ｄ  後フレーム
３    ステップ部
３ａ  サイドステップ
３ｂ  ステップ底部
４    支持フレーム
５Ｒ  キャスター
５Ｌ  キャスター
７    支持板係止部
８    外枠押さえ部
９    ハンドル部
１０  支持板
【図１】
0003168540.tif 000003
【図２】
0003168540.tif 000004
【図３】
0003168540.tif 000005
【図４】
0003168540.tif 000006
【図５】
0003168540.tif 000007
【図６】
0003168540.tif 000008
【図７】
0003168540.tif 000009
【図８】
0003168540.tif 000010
【図９】
0003168540.tif 000011
【図１０】
0003168540.tif 000012